(57)【要約】【課題】両側の開口部が四角形状の筒状部位に水車を内装した形態の潮流発電装置において、従来技術の漂流物や魚等が流入し水車の回転を阻害するという問題点を解決する。【解決手段】本発明の潮流発電用漂流物等対策用具１０及び潮流発電装置１は、両側の開口部が四角形状の筒状体に水車を内装した形態の潮流発電装置において、該潮流発電装置の本体部２０の両側の開口部に水車の回転に障害となる漂流物や魚等の流入を防止するための漂流物等対策用具１０を付設して漂流物や魚等による水車の回転の阻害を防止出来る様にする。そして、該漂流物等対策用具１０は、前記開口部の外側の中央部前方より何れかの相対する両端部に向けて中心線から各々約４０〜７０度の角度をなした形態で且つ板状長尺部材が約２０〜６０ｍｍの範囲の間隔で平行に配列した筋状スクリーン形態をなしたことを特徴とする。【選択図】    図１
2009114935.tif 000002
【特許請求の範囲】
【請求項１】
両側の開口部が四角形状の筒状体に水車を内装した形態の潮流発電装置の前記両側の開口部に付設して水車の回転に障害となる漂流物や魚等の流入を防止するための漂流物等対策用具で、前記開口部の外側の中央部前方より何れかの相対する両端部に向けて中心線から各々約４０〜７０度の角度をなした形態で且つ板状長尺部材が約２０〜６０ｍｍの範囲の間隔で平行に配列した筋状スクリーン形態をなしていることを特徴とする潮流発電用漂流物等対策用具。
【請求項２】
前記両側の開口部が四角形状の筒状体に水車を内装した形態の潮流発電装置で、前記筒状体の両側の開口部に請求項１に記載の潮流発電用漂流物等対策用具が付設されていることを特徴とする潮流発電装置。
【発明の詳細な説明】
【技術分野】
【０００１】
本発明は、海洋や海峡等の潮流を利用し発電するする場合に漂流物や魚等による水車の回転障害を防止することの出来る用具及び潮流発電装置に関する。
【背景技術】
【０００２】
近年、埋蔵資源エネルギーの枯渇問題や排出される二酸化炭素等による地球環境の悪化の問題等から、環境に優しい自然エネルギーである水力、風力、太陽光エネルギー等の利用技術が注目されていて、潮流を利用した潮流発電においても幾多の提案が既になされて来ている。発電装置としては、水車がスクリュー方式または羽根部が板状の横軸ランナー方式等の方式に関わりなく、流水を集水し制御する機能を具有することにより発電能力を高められるため、筒状体に水車を内装した形態が好ましいと考えられる。
【０００３】
そして、この様な考えの基に、既に、例えば、特許文献１、特許文献２、特許文献３、特許文献４、等が提案されている。しかしながら、これら全てに共通して、これらを現実的に実用化しようとした場合には、漂流物や魚等が流入し水車の回転を阻害するという問題点がある。このため、水車の回転に障害となる漂流物や魚等が流入を防止する対策が必要となって来る。
【特許文献１】特開２００５−３５１２０１号公報
【特許文献２】特開２００５−２７３４６４号公報
【特許文献３】特開２００５−２４０７８６号公報
【特許文献４】特開平１０−１１５２７８号公報
【発明の開示】
【発明が解決しようとする課題】
【０００４】
本発明が解決しようとする問題点は、両側の開口部が四角形状の筒状体に水車を内装した形態の潮流発電装置において、従来技術の漂流物や魚等が流入し水車の回転を阻害するという問題点である。
【課題を解決するための手段】
【０００５】
前述の課題を解決するため、本発明の潮流発電用漂流物等対策用具は、両側の開口部が四角形状の筒状体に水車を内装した形態の潮流発電装置の前記両側の開口部に付設して水車の回転に障害となる漂流物や魚等の流入を防止するための漂流物等対策用具で、前記開口部の外側の中央部前方より何れかの相対する両端部に向けて中心線から各々約４０〜７０度の角度をなした形態で且つ板状長尺部材が約２０〜６０ｍｍの範囲の間隔で平行に配列した筋状スクリーン形態をなしていることを最も主要な特徴とする。
【０００６】
そして、本発明の潮流発電装置は、前記両側の開口部が四角形状の筒状体に水車を内装した形態の潮流発電装置で、前記筒状体の両側の開口部に前述の潮流発電用漂流物等対策用具が付設されていることを最も主要な特徴とする。
【発明の効果】
【０００７】
本発明によれば、両側の開口部が四角形状の筒状体に水車を内装した形態の潮流発電装置において、水車の回転に障害となる漂流物や魚等の流入が防止出来るので、水車の回転障害が低減出来て、発電の安定性が向上するという利点がある。
【発明を実施するための最良の形態】
【０００８】
以下、本発明の実施の形態を図を参照して説明する。
尚、本発明に係る潮流発電装置の本体は両側の開口部が四角形状の筒状体に水車を内装した形態の潮流発電装置である限り、浮遊式又は海底固定式等の種別及び水車の型式等も限定されないので、説明図において前述に関連する部分は省略する。
図１は本発明の実施の形態に係る潮流発電装置の模式的全体斜視図であり、図２は図１の（Ａ）の例の断面説明図である。
【０００９】
［第１実施形態］
先ず、本発明の潮流発電用漂流物等対策用具１０について説明する。
本漂流物等対策用具１０は、図１に示す様に、両側の開口部が四角形状の筒状体に水車を内装した形態の潮流発電装置の本体部２０の両側の開口部に付設される漂流物等対策用具である。そして、本用具１０の主要部は、図２に示す様に、板状長尺部材１１及び板状長尺部材の留め付け支柱部材１２並びに板状長尺部材の留め付け枠部材１３等から構成されている。また、本用具１０では、板状長尺部材が平行に配列した筋状スクリーン形態が図１（Ａ）に示す様に水平方向の形態と、図１（Ｂ）に示す様に垂直方向の形態のものが用いられ、通常においては図１（Ａ）の形態が好ましい。
【００１０】
板状長尺部材１１は、図２（Ｃ）に示す様に、両側の四角形状の開口部の外側の中央部前方より両端部に向けて中心線からの開角θが約４０〜７０度の範囲の角度をなして配設され、図２（Ｄ）に示す様に、平行状態の配列間隔ｄが約２０〜６０ｍｍの間隔で配列されている。そして、中央部では板状長尺部材の留め付け支柱部材１２に、周囲部では板状長尺部材の留め付け枠部材１３に留め付けられ支持されている。
【００１１】
そして、板状長尺部材１１は、材質としては、ステンレス又は非鉄金属材・合金材もしくは高強度で耐久性を有するエンジニアリングプラスチック及びＦＲＰやＣＦＲＰ等のプラスチック複合材が考えられ好ましいいが、その他、本発明の目的を達成出来る材質である限り限定はされない。また、厚みは材質の強度等を勘案して約１〜１０ｍｍ程度の範囲のものが用いられ、幅等は装置規模等により適宜設定される。
【００１２】
板状長尺部材の留め付け支柱部材１２は、材質としては、板状長尺部材１１に準じた材質が用いられ、断面形状・寸法等は流速抵抗等を考慮して適宜設定される。
【００１３】
板状長尺部材の留め付け枠部材１３は、材質としては、板状長尺部材１１に準じた材質が用いられ、断面形状・寸法等は流速抵抗等を考慮して適宜設定され、潮流発電装置の本体部２０の両側の開口部に付設出来るように工夫がなされている。
【００１４】
［第２実施形態］
次に、本発明の潮流発電装置１について説明する。本装置１は、図１に示す様に、両側の開口部が四角形状の筒状体に水車を内装した形態の潮力発電装置の本体部２０の両側の開口部に本発明の潮流発電用漂流物等対策用具１０が付設された潮流発電装置である。
【００１５】
本潮流発電装置１の本体部２０は、図１、図２に示す様に、主要部が、両側の開口部が四角形状の筒状体２１、及び、例えばスクリュー方式の水車部位２２、発電機部位２３、水車・発電機部位保持部材２４等から構成されている。そして、前述した様に、本発明に係る潮流発電装置の本体部は両側の開口部が四角形状の筒状体に水車を内装した形態の潮流発電装置である限り、浮遊式又は海底固定式等の種別及び水車の型式等も限定されない。
【００１６】
筒状体２１は、図２に示す様に、両側部が開角をなした形態のものであり、主として上下に開角をなした形態のものである。そして、開角の角度は約３０度以下の範囲で適宜設定される。また、材質としては、ステンレス又は非鉄金属材・合金材もしくは高強度で耐久性を有するエンジニアリングプラスチック及びＦＲＰやＣＦＲＰ等のプラスチック複合材が考えられ好ましいが、その他、本発明の目的を達成出来る材質である限り限定はされない。また、厚み等は材質の強度等及び規模等を勘案して適宜設定される。
【００１７】
水車部位２２は、例えば、既述のスクリュー方式又はクロスフロー型に類する横軸ランナー型の方式等が考えられるが、本発明に適用出来る機種および方式である限り方式は限定されない。また、発電機部位２３は、本発明に適用出来る機種および方式である限り限定されない。そして、水車・発電機部位保持部材２４は、材質としては、筒状体２１に準じたものが用いられ、その他、本発明の目的を達成出来る材質である限り限定はされない。
そして、本装置１の規模条件等や用いる水車部位と発電機部位の形態及び水流への影響等を勘案して適宜配設される。
【図面の簡単な説明】
【００１８】
【図１】本発明の実施の形態に係る潮流発電装置の模式的全体斜視図である。（Ａ）は本潮流発電用漂流物等対策用具の筋状形態が水平方向の場合の例の説明図であり、（Ｂ）は本用具の筋状形態が垂直方向の場合の例の説明図である。
【図２】図１（Ａ）例の断面説明図である。（Ｃ）はＣ−Ｃ断面の平断面説明図であり、（Ｄ）はＤ−Ｄ断面の縦断面説明図である。
【符号の説明】
【００１９】
１  ；本発明の潮流発電装置
１０  ；本発明の潮流発電用漂流物等対策用具
１１  ；板状長尺部材
１２  ；板状長尺部材の留め付け支柱部材
１３  ；板状長尺部材の留め付け枠部材
２０  ；本発明に用いる潮流発電装置の本体部
２１  ；両側の開口部が四角形状の筒状体
２２  ；水車部位
２３  ；発電機部位
２４  ；水車・発電機部位保持部材
【図１】
2009114935.tif 000003
【図２】
2009114935.tif 000004